(57)【要約】【課題】簡便な操作で、正確な間隔設定と曲げ試験 を可能にする。【解決手段】曲げ試験治具支点台および曲げ試験治具圧子とを有し、前記曲げ試験治具支点台は、第１の軸を介して互いに向き合い離間および接近する方向にスライド可能な一対の支点ホルダを有し、前記一対の支点ホルダは前記第１の軸の一方の端に設けられた調節ツマミによりスライド移動できるようになっており、前記一対の支点ホルダ間にて、試験用の基板を挟持できるようになっており、前記曲げ試験治具圧子は、曲げ試験機本体への取り付け部および、圧子部を有する圧子ホルダを一対有しており、前記圧子ホルダは第２の軸を介して互いに向き合い離間および接近する方向にスライド可能に配されており、かつ前記一対の圧子ホルダは前記第２の軸の一方の端に設けられた調節ツマミによりスライド移動できるようになっていることを特徴とする４点曲げ試験治具により達成できる。【選択図】図１
0003106088.tif 000002
【実用新案登録請求の範囲】
【請求項１】
曲げ試験治具支点台および曲げ試験治具圧子とを有し、
前記曲げ試験治具支点台は、第１の軸を介して互いに向き合い離間および接近する方向にスライド可能な一対の支点ホルダを有し、
前記一対の支点ホルダは前記第１の軸の一方の端に設けられた調節ツマミによりスライド移動できるようになっており、
前記一対の支点ホルダ間にて、試験用の基板を挟持できるようになっており、
前記曲げ試験治具圧子は、曲げ試験機本体への取り付け部および、圧子部を有する圧子ホルダを一対有しており、前記圧子ホルダは第２の軸を介して互いに向き合い離間および接近する方向にスライド可能に配されており、かつ、前記一対の圧子ホルダは前記第２の軸の一方の端に設けられた調節ツマミによりスライド移動できるようになっている
ことを特徴とする４点曲げ試験治具。
【考案の詳細な説明】
【技術分野】
【０００１】
本考案は試験片を載置して曲げ試験 を行うのに使用する４点曲げ試験治具に関する。
【背景技術】
【０００２】
JISには下記に示す関連の方法が規格化されている。
JIS  K  7017  繊維強化プラスチック―曲げ特性の求め方
JIS  K  7074  炭素繊維強化プラスチックの曲げ試験方法
【考案の開示】
【考案が解決しようとする課題】
【０００３】
しかしながら、このような従来の方法では曲げて圧子が元のゼロの位置に戻ったときに、基板は部品が実装されているため戻りに時間がかかり繰り返しスピードの時間内に戻らないため正確な試験とはいえない。また、基板の実装状態が変わった場合、データが変わってしまう、という欠点があった。
本考案の目的は、次のことを達成可能にした四点曲げ試験治具を提供することにある。
１． 
基板サイズが変わっても保持できる。
２． 
繰り返し曲げ中に基板を必ずゼロの位置に戻す。
３． 
基板の両端を完全に固定すると従来方法よりかなり厳しい結果となるため、基板の反りに応じた固定点が移動する固定方法の開発に沿ったこと。
４． 
測定する破断回数が従来法に比較してバラツキが少ないこと。
５． 
操作する人の手加減でデータが不偏であること。
６． 
操作性がよくサンプルの取替えがスムーズに行えること。
【課題を解決するための手段】
【０００４】
かかる課題を解決するために本考案は、曲げ試験治具支点台および曲げ試験治具圧子とを有し、前記曲げ試験治具支点台は、第１の軸を介して互いに向き合い離間および接近する方向にスライド可能な一対の支点ホルダを有し、前記一対の支点ホルダは前記第１の軸の一方の端に設けられた調節ツマミによりスライド移動できるようになっており、前記一対の支点ホルダ間にて、試験用の基板を挟持できるようになっており、前記曲げ試験治具圧子は、曲げ試験機本体への取り付け部および、圧子部を有する圧子ホルダを一対有しており、前記圧子ホルダは第２の軸を介して互いに向き合い離間および接近する方向にスライド可能に配されており、かつ前記一対の圧子ホルダは前記第２の軸の一方の端に設けられた調節ツマミによりスライド移動できるようになっていることを特徴とする。
【考案の効果】
【０００５】
以上説明したように本考案によれば、次の効果が得られる。
１．     
基板サイズが変わっても保持できる。
２．     
繰り返し曲げ中に基板を必ずゼロの位置に戻す。
３．     
基板の両端を完全に固定すると従来方法よりかなり厳しい結果となるため、基板の反りに応じた固定点が移動する固定方法の開発が必要となる。
４．     
測定する破断回数が従来法に比較してバラツキが少なくなる。
５．     
操作する人の手加減でデータが不偏となる。
６．     
操作性がよくサンプルの取替えがスムーズに行える。
【考案を実施するための最良の形態】
【０００６】
以下、本考案に係る一実施例を図１〜図５に基づいて説明する。
【０００７】
図１は、本考案の四点曲げ試験治具の曲げ試験治具支点台の長さ方向（第１の軸方向）の側面断面図である。図２は調整ネジ側の上部断面図である。図３はシテンホルダ１６部分の拡大側面断面図である。
【０００８】
同図に示すように、シテンベース１１には、ジクウケ（L）１２をM５六角穴付けボルトにて取り付ける。 シテンホルダ（R）１６にはチョウセイネジ１５をM３六角穴付けボルトで取り付ける。ジクウケ（L）１２にはフランジブッシュ２２を圧入する。ネジジク１４の右側方向には、シテンホルダ（R）１６を廻しながら取り付ける。また、ネジジク１４の左側方向にはM８の左ネジが加工してあり、シテンホルダ（L）２０を廻しながら取り付ける。
【０００９】
その際、互いのシテンホルダ１６、２０は中央部分でシテンスケールメイハン２１の原点となるように位置寸法だしをしておく。両方のシテンホルダ１６、２０の締め付けはシテンベース１１の底部にスライドのできる長溝がある。板ナット２９を使ってM５×２０ボルトにてスライド寸法調整後に固定締付を行う。
【００１０】
ジクウケ（L）１２と対面ジクウケ（R）にはネジジク１４を通して両端部をEリングとM６ネジの付いたツマミ１３で取り付ける。
【００１１】
シテン（R３）１９をシテンホルダ１６，２０に各々横腹よりM４六角穴付けボルトで２箇所で取り付ける。このシテン（R３）１９のR中心部は取り付けるだけでシテンスケールメイハン２１のゼロ点になるように設計上設定されている。
【００１２】
このネジジク１４はツマミ１３を廻すことにより中心ゼロ点から同一に広がり、使用者が任意寸法を自由に可変移動ができる確定機構になっている。
【００１３】
サイドガイド１８は試験用P基板の幅当てになり、長溝で調整する。
【００１４】
ガイド（５／１５）１７は試験用P基板の長さ方向の当て板の役目をしている。これは試験用P基板のサイズに応じて製作する。
【００１５】
曲げ試験機本体との取り付けは、シテンベース１１の中央にあるM４用穴を４ヶ所、M４×１２で取り付ける。
【００１６】
図４は本考案の四点曲げ試験治具の曲げ試験治具圧子の長さ方向（第２の軸方向）の側面断面図であり、図５は上面図である。
【００１７】
同図に示すように、曲げ試験機本体の上部取り付けは本体の上部シャフにアダプター２７のセンター穴より六角穴付ボルトM5×20で取り付けるアダプター２７には相手のシャフトと芯が合うようにインロー溝が掘ってある。
【００１８】
又、この際、アダプター２７の廻りの穴にはM3×10ボルトを差しておく。
【００１９】
アダプター２７とアッシベース２４との取り付けは前項のM3×10ボルトにて締め付ける。アッシネジジグ２８にはアッシホルダー（LとR）２６を下部同様ネジ込み取り付ける。更に、両方のアッシホルダー２６にはアッシ（R3）２５を六角穴付ボルトM3×15で取付ける。その際、中央によせた両方のアッシ（R3）２５の付いたアッシホルダー２６は原点０になるように設定する。アッシベース２４とサイドプレート３０を両端に通し、アッシツマミ２３を両方につける。使用者が任意の設定幅寸法を決め、ツマミ２３で自由に可変移動がしやすくしてある。
【産業上の利用可能性】
【００２０】
本考案は、試験片を載置して曲げ試験
を行うのに使用する４点曲げ試験治具に関する。
【図面の簡単な説明】
【００２１】
【図１】本考案の四点曲げ試験治具の曲げ試験治具支点台の長さ方向（第１の軸方向）の側面断面図である。
【図２】本考案の四点曲げ試験治具の曲げ試験治具支点台の調整ネジ側の上部断面図である。
【図３】本考案の四点曲げ試験治具の曲げ試験治具支点台のシテンホルダ１６部分の拡大側面断面図である。
【図４】本考案の四点曲げ試験治具の曲げ試験治具圧子の長さ方向（第２の軸方向）の側面断面図である。
【図５】本考案の四点曲げ試験治具の曲げ試験治具圧子の上面図である。
【符号の説明】
【００２２】
１１  シテンベース  
１２  ジクウケ（L）
１３  ツマミ
１４  ネジジク
１５  チョウセイネジ
１６  シテンホルダ
１７  ガイド（５／１５）
１８  サイドガイド
１９  シテン（R３）
２０  シテンホルダ
２１  シテンスケールメイハン
２２  フランジブッシュ
２９  板ナット
２３  ツマミ  
２４  アッシベース
２５  アッシ（R3）
２６  アッシホルダー
２７  アダプター
２８  アッシネジジグ
３０  サイドプレート
【図１】
0003106088.tif 000003
【図２】
0003106088.tif 000004
【図３】
0003106088.tif 000005
【図４】
0003106088.tif 000006
【図５】
0003106088.tif 000007